(57)【特許請求の範囲】
【請求項１】
主幹ブレーカの２次側に接続された主幹バーが、分岐ブレーカを接続するための直線部を備えて、前記直線部の少なくとも一方の側に分岐ブレーカを列設して前記主幹バーに接続した分電盤であって、
前記主幹バーの直線部は、分電盤前方を向く前面及びその両側の２側面の３面が閉塞部材で囲まれて成り、そのうち分岐ブレーカを接続する面に配置された閉塞部材は、分岐ブレーカの接続位置に合わせて配置した扉を備えると共に、前記分岐ブレーカの装着操作により前記扉を開動作させる扉支持片を有し、
前記扉は、前記分岐ブレーカの着脱に連動して開閉することを特徴とする分電盤。
【請求項２】
前記主幹バーは、平行に配設された３本の銅バーで構成され、当該３本の銅バーは配設方向に直交する上下或いは左右方向に並べて配置されると共に、個々の銅バーの幅方向が分電盤の前後方向であり、
前記分岐ブレーカを接続する面が分電盤前方を向く前面であって、前記前面の前記閉塞部材が前記扉を備えて成ることを特徴とする請求項１記載の分電盤。
【請求項３】
筐体の上面に電路のオン／オフ操作を行う操作ハンドル、後方に電源側端子、前方に負荷側端子を備えた分岐ブレーカであって、
前記電源側端子は、前記筐体の後背面上部から更に後方に突出した突出部に設けられ、前記突出部の下面に、請求項２に記載の分電盤の主幹バーのうちの２本の銅バーに接続するための一対の端子金具を備え、
前記一対の端子金具のうちの一方は固定配置され、他方の端子金具は前記一方の端子金具の近傍に回動軸を有して回動操作を受けて位置を変更する位置変更手段に組み付けられてなり、回動操作により前記一方の端子金具の前後の何れかに配置されることを特徴とする分岐ブレーカ。
【請求項４】
前記突出部は、前記筐体の幅の略２分の１の幅で形成されると共に、前記筐体の一方の側面から連続する側面を有して成ることを特徴とする請求項３記載の分岐ブレーカ。
【請求項５】
請求項３又は４に記載の分岐ブレーカを組み付けたことを特徴とする請求項２記載の分電盤。
【発明の詳細な説明】
【技術分野】
【０００１】
本発明は、住戸内の個々の電気機器に電力を分岐して供給するための分電盤、及び分電盤に組み付けられる分岐ブレーカに関する。
【背景技術】
【０００２】
住宅用分電盤等の分電盤は、主幹ブレーカの２次側に接続された主幹バーの分岐ブレーカを接続する部位は直線状に配置され、この直線部の両側部に分岐ブレーカが配置されて直接或いは分岐バーを介して接続されている（例えば、特許文献１参照）。
主幹バーは、このように分岐ブレーカが接続されるため、充電部が露出して配置されるが、分電盤の前面側に露出する部位は作業者が誤って接触しないようカバーで覆うなどの安全策が施されている
しかしながら、分岐ブレーカを追加したり変更する場合はこのカバーは外されて主幹バーの接続部が露出されるため、感電事故防止のために主幹ブレーカをオフして主幹バー全体を商用電源から分離して作業が行われた。
【先行技術文献】
【特許文献】
【０００３】
【特許文献１】特開２００９−１９５０２０号公報
【発明の概要】
【発明が解決しようとする課題】
【０００４】
上述したように、従来の分電盤では、分岐ブレーカの追加や変更を行う際には、全ての電路が遮断されて全ての電気機器がオフすることになった。そのため、事前調整や停電復旧後の事後調整が必要であり、面倒な作業となっていた。また、分岐ブレーカの着脱操作も狭い分電盤内での操作であるため、簡易な作業ではなかった。
【０００５】
そこで、本発明はこのような問題点に鑑み、主幹ブレーカをオフ操作することなく、分岐ブレーカの追加・変更の作業を可能とし、更に分岐ブレーカの着脱操作も容易に実施できる分電盤、及び分岐ブレーカを提供することを目的としている。
【課題を解決するための手段】
【０００６】
上記課題を解決する為に、請求項１の発明は、主幹ブレーカの２次側に接続された主幹バーが、分岐ブレーカを接続するための直線部を備えて、直線部の少なくとも一方の側に分岐ブレーカを列設して主幹バーに接続した分電盤であって、主幹バーの直線部は、分電盤前方を向く前面及びその両側の２側面の３面が閉塞部材で囲まれて成り、そのうち分岐ブレーカを接続する面に配置された閉塞部材は、分岐ブレーカの接続位置に合わせて配置した扉を備えると共に、分岐ブレーカの装着操作により扉を開動作させる扉支持片を有し、扉は、分岐ブレーカの着脱に連動して開閉することを特徴とする。
この構成によれば、分岐ブレーカを取り外すとその部分の扉が閉扉するし、分岐ブレーカの装着に関わらない面は常時閉塞部材で閉塞されているため、主幹バーが露出することがない。そのため、主幹バーが充電された状態で分岐ブレーカの着脱操作を実施しても、感電事故を防止でき、分岐ブレーカの着脱作業時に主幹ブレーカをオフ操作しなくとも不慮の事故を防止できる。
【０００７】
請求項２の発明は、請求項１に記載の構成において、主幹バーは、平行に配設された３本の銅バーで構成され、当該３本の銅バーは配設方向に直交する上下或いは左右方向に並べて配置されると共に、個々の銅バーの幅方向が分電盤の前後方向であり、分岐ブレーカを接続する面が分電盤前方を向く前面であって、前面の閉塞部材が扉を備えて成ることを特徴とする。
この構成によれば、分電盤の前面側をブレーカ接続面とするため、分岐ブレーカの着脱操作は前後方向の操作となり、従来のような主幹バーに対して横方向からの操作ではなくなり、作業がし易い。
【０００８】
請求項３の発明は、筐体の上面に電路のオン／オフ操作を行う操作ハンドル、後方に電源側端子、前方に負荷側端子を備えた分岐ブレーカであって、電源側端子は、筐体の背面上部から更に後方に突出した突出部に設けられ、突出部の下面に、請求項２に記載の分電盤の主幹バーのうちの２本の銅バーに接続するための一対の端子金具を備え、一対の端子金具のうちの一方は固定配置され、他方の端子金具は一方の端子金具の近傍に回動軸を有して回動操作を受けて位置を変更する位置変更手段に組み付けられてなり、回動操作により一方の端子金具の前後の何れかに配置されることを特徴とする。
この構成によれば、分岐ブレーカの下方への押し込み操作（分電盤で見た場合、前方からの押し込み操作）で電源側端子を主幹バーに接続できるため、従来の操作のように分電盤内で横方向へ操作する狭い作業空間での作業に比べて広い空間で作業でき、着脱操作し易い。また、主幹バーは筐体の後方へ配置できるため、分岐ブレーカの筐体は従来と同様に主幹バーに隣接させて配置でき、前方への突出量が大きく増加することがない。
【０００９】
加えて、一方の端子金具を分電盤の平行に配設された３本の主幹バーのうちの中央のバーに接続するよう構成すれば、他方の端子金具は中央のバーの左右いずれのバーも接続でき、主幹バー側に切替機構を設ける必要がない。
【００１０】
請求項４の発明は、請求項３に記載の構成において、突出部は、筐体の幅の略２分の１の幅で形成されると共に、筐体の一方の側面から連続する側面を有して成ることを特徴とする。
この構成によれば、分電盤内において、主幹バーの左右に分岐ブレーカを配置する際に、互いの突出部を重ねるように配置すれば、１つの分岐ブレーカの幅で２つの分岐ブレーカを組み付けできる。そのため、効率よく分岐ブレーカを配置できる。
【００１１】
請求項５の発明は、請求項２に記載の分電盤において、請求項３又は４に記載の分岐ブレーカを組み付けたことを特徴とする。
この構成によれば、分岐ブレーカの有無に関わらず閉塞部材の存在により主幹バーが露出することが無いため、主幹ブレーカをオフ操作すること無く分岐ブレーカの追加・変更が可能となる。また、主幹バーの前面側から着脱操作するため、前後方向の操作により容易に分岐ブレーカの着脱ができる。
【発明の効果】
【００１２】
本発明の分電盤によれば、分岐ブレーカを取り外すとその部分の扉が閉扉するし、分岐ブレーカの装着に関わらない面は常時閉塞部材で閉塞されているため、主幹バーが露出することがない。そのため、主幹バーが充電された状態で分岐ブレーカの着脱操作を実施しても、感電事故を防止でき、分岐ブレーカの着脱作業時に主幹ブレーカをオフ操作しなくとも不慮の事故を防止できる。
また、本発明の分岐ブレーカによれば、分岐ブレーカの下方への押し込み操作（分電盤で見た場合、前方からの押し込み操作）で電源側端子を主幹バーに接続できるため、従来の操作のように分電盤内で横方向へ操作する狭い作業空間での作業に比べて広い空間で作業でき、着脱操作し易い。また、主幹バーは筐体の後方へ配置できるため、分岐ブレーカの筐体は従来と同様に主幹バーに隣接させて配置でき、前方への突出量が大きく増加することがない。
【図面の簡単な説明】
【００１３】
【図１】本発明に係る分電盤の一例を示し、分岐ブレーカを接続する主幹バー直線部と装着する分岐ブレーカを示す斜視図である。
【図２】図１の構成において、主幹バーを露出させた図であり、（ａ）は正面図、（ｂ）は底面図、（ｃ）は分岐ブレーカを装着した底面図である。
【図３】分岐ブレーカを示し、（ａ）は斜視図、（ｂ）は側面図である。
【図４】分岐ブレーカの電源側端子を回転操作した斜視図である。
【図５】図２の一部を拡大した斜視図である。
【図６】分岐ブレーカと扉部材の掛合関係を示す説明図である。
【発明を実施するための形態】
【００１４】
以下、本発明を具体化した実施の形態を、図面を参照して詳細に説明する。図１は本発明に係る分電盤の一例を示す要部斜視図であり、主幹バーの直線状に形成された分岐ブレーカ装着部を示している。図１において、１は主幹バー、２は分岐ブレーカ、３は主幹バーを覆う閉塞部材としてのカバーであり、図１では主幹バー１を縦に配置し、分岐ブレーカ２をその左右に装着する構成を示している。
主幹バー１は図示しない主幹ブレーカの２次側から配設され、３本の帯状の銅バーで構成されている。３本の銅バーは、厚み方向に重ねて且つ側面が分電盤前方を向くよう配設され、図１に示すように直線状に配設した分岐ブレーカ接続部を有している。ここでは、単相３線式電路で構成された主幹バー１を示し、左右２本の電圧相銅バー１ａ，１ｃと中央の中性相銅バー１ｂの３本の銅バーが縦に延設されて構成されている。
【００１５】
主幹バー１を覆うカバー３は、主幹バー１の両側面を覆う２枚の側板３１と、前面を覆う複数の扉部材３２とで構成され、２枚の側板３１は端部同士が前面の一部を成す連結片３ａを介して連結され、金属板により一体に形成されている。扉部材３２には、分岐ブレーカ２を主幹バー１に接続するブレーカ挿入部を構成し、側板３１と連結板３ａで囲まれた開口部から成る開放された前面に配置されている。
【００１６】
扉部材３２は絶縁部材により形成され、内側に両開きする一対の扉３２ａを備え、１枚の扉３２ａが１つの分岐ブレーカ２の接続に対応している。扉部材３２の長手方向の枠３２ｃは扉３２ａの回転軸であり、側板３１に軸着されている。
また、この扉部材３２は装着される分岐ブレーカ２の幅に合わせて形成され、一対の扉３２ａのうちの片側の扉３２ａは、例えば左側に配置された分岐ブレーカ２の接続に使用され、もう一方の扉３２ａは対向するように右側に配置された分岐ブレーカ２の接続に使用される。そして、カバー３の前面開口部には、この扉部材３２が複数連続配置されている。
尚、図１では、最上部の扉部材３２の上側の扉３２ａを開いて分岐ブレーカ２を接続する様子を示している。
【００１７】
図２は図１の状態で最上部の扉部材３２以外の扉部材３２を取り除き、主幹バー１を露出させた状態を示し、（ａ）は正面図、（ｂ）は底面図、（ｃ）は分岐ブレーカ２の接続を完了した状態の底面図である。図２に示すように、主幹バー１の前面側が分岐ブレーカ２との接続面であり、分岐ブレーカ２は分電盤の前方から後方へ押し込んで接続される。
【００１８】
図３は分岐ブレーカ２を示し、（ａ）は後方から見た斜視図、（ｂ）は側面図である。筐体２１の上面にオン／オフ操作する操作ハンドル２２が設けられ、後部に電源側端子２３、前面側に負荷側端子（図２に示す）２４が配置されている。電源側端子２３は、筐体２１の背部上方から更に後方に突出した突出部２５に設けられ、突出部２５の下面に一対の端子金具１０（第１端子金具１０ａ、第２端子金具１０ｂ）を下方に突出させて設けている。
【００１９】
また、突出部２５の前後端部には、主幹バー１に接続する際に扉３２ａを開くための開扉ピン２６が設けられている。開扉ピン２６は、扉部材３２に設けられた所定の開扉孔３２ｂ（図１に示す）に挿入されるよう形成され、端子金具１０より下方に突出している。
端子金具１０は、主幹バー１を挟持する挟持片で形成され、負荷側端子は分岐ケーブル（）をねじ止めするねじ端子で構成されている。
【００２０】
電源側端子２３の一方の端子金具（第１端子金具１０ａ）は、３本の銅バーから成る主幹バー１の中央に配設された中性相銅バー１ｂに対応し、固定配置されているのに対し、他方の端子金具（第２端子金具１０ｂ）は主幹バー１の２つある電圧相銅バー１ａ，１ｃの双方に対応出来るよう移動可能に形成されている。
具体的に、突出部２５の略中央に形成された第１端子金具１０ａの近傍には、筐体２１の上面に直交する縦方向に回転軸を有して筐体２１の上面に平行する面内で１８０度回転する回転部材２８が設けられ、この回転部材２８の先端に第２端子金具１０ｂが配置されている。そのため、この回転部材２８の先端を後方に向けた状態と、１８０度回転して前方に向けた状態とで、接続先の２本の電圧相銅バー１ａ，１ｃの何れか一方を選択可能としている。図４は、この回転部材２８を途中まで回転すた状態を示している。
【００２１】
次に、カバー３及び扉部材３２の構造を図５，６を参照して説明する。図５は図２の状態の分岐ブレーカ２及びその装着する部位を拡大した斜視説明図であり、図５に示すように分岐ブレーカ２を扉部材３２に近づけると、まず左右端部に設けられている開扉孔３２ｂに分岐ブレーカ２に開扉ピン２６が挿入される。
【００２２】
図６は扉部材３２を側方からみた説明図であり、分岐ブレーカ２を途中まで挿入した状態を示している。図６に示すように、側板３１の内側には、扉部材３２毎に一対のコイルバネ３５ａを備えた閉扉機構部３５が設けられている。閉扉機構部３５は、コイルバネ３５ａが個々の扉３２ａに対して設けられ、分電盤の前後方向に向けて収容保持している。そして、コイルバネ３５ａの先端には、扉３２ａの背部に当接すると共に、開扉ピン２６に係合する係合凹部３６ａを備えた扉支持片３６が配置されている。尚、図６では、閉扉機構部３５を２つ配置した構成を示している。
【００２３】
分岐ブレーカ２を装着する際に、このように閉扉機構部３５の扉支持片３６を開扉ピン２６が押し下げることで、閉扉機構部３５による閉扉状態が解除されて扉３２ａが開く。こうして分岐ブレーカ２の装着操作を進めると、端子金具１０が対応する主幹バー１に当接し、更に挿入することで把持して接続が成される。図２（ｃ）はこうして接続された状態を示している。
【００２４】
ここで、分岐ブレーカ２の突出部２５の形成位置について説明する。分岐ブレーカ２の突出部２５は、分岐ブレーカ２の２分の１の幅で且つ一方の側部に偏って配置されている。このように構成することで、主幹バー１の左右に分岐ブレーカ２を対向配置した際に、突出部２５を重ねて配置でき、分岐ブレーカ２同士を一直線状に配置できる。また、１つの扉部材３２に対して、対向配置した２つの分岐ブレーカ２，２を挿入して、主幹バー１に接続できる。このように、分電盤内において、主幹バー１の左右に分岐ブレーカ２を配置する際に、互いの突出部２５を重ねることで、１つの分岐ブレーカ２の幅に２つの分岐ブレーカ２を配置でき、効率良く配置できる。
【００２５】
尚、この状態から、分岐ブレーカ２を抜き取ると、閉扉部材３５の作用により扉３２が閉じるため、内部の主幹バー１が露出することがない。
【００２６】
このように、分岐ブレーカ２を取り外すとその部分の扉３２ａが閉扉するし、分岐ブレーカ２の装着に関わらない面は常時カバー３で閉塞されているため、主幹バー１が露出することがない。そのため、主幹バー１が充電された状態で分岐ブレーカ２の着脱操作を実施しても、感電事故を防止でき、分岐ブレーカ２の着脱作業時に主幹ブレーカをオフ操作しなくとも不慮の事故を防止できる。
また、分岐ブレーカ２の下方への押し込み操作（分電盤で見た場合、前方からの押し込み操作）で電源側端子を主幹バー１に接続できるため、従来の操作のように分電盤内で横方向へ操作する狭い作業空間での作業に比べて広い空間で作業でき、着脱操作し易い。また、主幹バー１は筐体２１の後方へ配置できるため、分岐ブレーカ２の筐体２１は従来と同様に主幹バー１に隣接させて配置でき、前方への突出量が大きく増加することがない。
さらに、電源側端子２３の２つの端子金具１０ａ，１０ｂのうち、一方の端子金具１０ａを３本の主幹バー１のうちの中央の中性相銅バー１０ｂに接続するよう構成すれば、他方の端子金具１０ｂは、左右何れの電圧相銅バー１０ａ，１０ｃの何れにも接続でき、主幹バー１側に切替機構を設ける必要がない。
また、分電盤内において、主幹バー１の左右に分岐ブレーカ２を配置する際に、互いの突出部２５を重ねるように配置すれば、１つの分岐ブレーカ２の幅で２つの分岐ブレーカ２を組み付けでき、効率よく分岐ブレーカ２を配置できる。
【００２７】
尚、上記実施形態では、３本の主幹バー１を分電盤前方へ向けて立てて配置することで、前方から分岐ブレーカ２を装着する構成を説明したが、主幹バー１を前後方向に重ねて配置して従来のように横方向から分岐ブレーカ２を装着するよう構成しても良く、この場合は、カバー３の側面に対して扉部材３２が配置され、前面は常時閉扉される。また、分岐ブレーカ２の電源側端子２３は筐体２１の背部に後方に向けて形成される。
【符号の説明】
【００２８】
１・・主幹バー、１ａ・・電圧相銅バー、１ｂ・・中性相銅バー、１ｃ・・電圧相銅バー、２・・分岐ブレーカ、３・・カバー（閉塞部材）、１０・・端子金具、２１・・筐体、２２・・操作ハンドル、２３・・電源側端子、２４・・負荷側端子、２５・・突出部、２６・・開扉ピン、２８・・回転部材（位置変更手段）、３１・・側板（閉塞部材）、３２・・扉部材（閉塞部材）、３２ａ・・扉、３２ｂ・・開扉孔、３５・・閉扉機構部、３５ａ・・コイルバネ。
【図１】
0006594689.tif 000002
【図２】
0006594689.tif 000003
【図３】
0006594689.tif 000004
【図４】
0006594689.tif 000005
【図５】
0006594689.tif 000006
【図６】
0006594689.tif 000007